(57)【特許請求の範囲】
【請求項１】
尾錠及び遊カンを有する時計バンドにおいて、断面が略ロの字型の遊カンの内部に棒またはピンからなるバンド挟持部材をバンドの短手方向に、かつ遊カンの両側壁に形成された貫通穴または凹部に取付け、該バンド挟持部材と前記遊カンの内壁とによりバンドを挟み、遊カンを適度の摩擦力でバンドに保持するようにしたことを特徴とする時計バンドの遊カン構造。
【請求項２】
前記バンド挟持部材は、バネ棒であることを特徴とする請求項１記載の時計バンドの遊カン構造。
【請求項３】
前記バンド挟持部材は、円筒状の本体と２本の鋲とよりなり、前記遊カンの内部に前記本体を配設し、前記遊カンの両側壁の貫通穴より前記鋲を挿入し鋲を本体に圧入固定したことを特徴とする請求項１記載の時計バンドの遊カン構造。
【請求項４】
前記バンド挟持部材は、鍔付きピンよりなり、前記遊カンの両側壁の貫通穴の一方より前記鍔付きピンを挿通し、先端部を他方の貫通穴より突出させ、該先端部に鍔状の抜止部を設けたことを特徴とする請求項１記載の時計バンドの遊カン構造。
【請求項５】
前記遊カンの内部に取付けたバンド挟持部材は、バンドの厚さ方向に弾性を有する板バネであって、前記遊カンの両側壁に取付けられていることを特徴とする請求項１記載の時計バンドの遊カン構造。
【請求項６】
前記バンドの挟持部材の表面に、ゴム、樹脂、合成樹脂の中の少なくとも１つの弾性材よりなる筒を取付けたことを特徴とする請求項２記載の時計バンドの遊カン構造。
【請求項７】
前記遊カンに、前記バンド挟持部材を回転可能に取り付けたことを特徴とする請求項３または４記載の時計バンドの遊カン構造。
【発明の詳細な説明】
【０００１】
【発明の属する技術分野】
本発明は、尾錠を有する時計バンドの先端部分を保持するための遊カン、及び時計のケース構造に関するものである。
【０００２】
【従来の技術】
尾錠を有するバンドにおいては、一方のバンドに取付けられた尾錠のつく棒が他方のバンドに形成されたバンド連結及びバンド長さ調節用つく孔の何れか一つに挿入されることによってバンドの両端部が連結されるが、つく棒の係合した部分より先のバンド部分をバンド本体に保持して、先端部が浮動するのを防ぐ為の断面略ロ型の遊カンがバンドに嵌められている。
しかし、この遊カンは、バンドの上を自由に動けるものであるから、その位置は不定で、バンド先端を係合させる為、その都度、遊カンをバンド先端部分まで移動させなければならず、操作にわずらわしさが伴った。
一方、一本バンドと通称される一本のバンドで時計を腕に装着するものがある。実開昭４９−１１２２６７号公報はそのような一本バンドを開示する。
【０００３】
図１２は、その一本バンドによる腕時計を示す平面図、図１３は一部切断側面図である。
一本バンド４１には基部につく棒４２が取付けられる円筒部４３が形成され、先端部には多数のつく孔４４が形成されている。一方腕時計４５のケース４６にはバンドの長手方向に伸びる一対の連結足４７が形成され、バネ棒によるバンド取付け棒４８が、その連結足に取付けられるようになっている。
【０００４】
バンド４１を時計ケース４６に取付けるには、円筒部４３の中央に形成された切欠につく棒４２の基部の環状部を挿入し、バンド取付け棒４８を一方の円筒部４３及びつく棒４２の環状部、更に他方の円筒部４３に挿入した後、バンド取付け棒の一端をケース４６の連結足４７の一方の孔に挿入し、更に、バンド取付け棒の他端を他方の連結足の孔に挿入する。
バンド４１の先端部のつく孔４４の一つにつく棒４２が係合され、バンドの先端が遊カン５０の中に挿入して先端部が保持される。
【０００５】
【発明が解決しようとする課題】
このような一本バンドでは、バンドの先端部をつく棒４２から外して、バンドを開くと、遊カン５０を止める部分がないので、遊カンが脱落してしまう、と言う不都合がある。
更に、図１３で分かるように、時計ケース４６がバンド４１より浮いているので、ケースが異物に当たり易く、また当たると、腕を痛めたり、ケースに傷を付けたりする、と言う欠点がある。
本発明の目的は、上記の欠点を除去するために、遊カンを任意の位置に停止させることのできる構造を提供することにある。
本発明の他の目的は、時計ケースの浮上がりを防ぐことのできるケース構造を提供することにある。
【０００６】
【課題を解決するための手段】
請求項１による本発明の時計バンドの遊カン構造は、尾錠及び遊カンを有する時計バンドにおいて、断面が略ロの字型の遊カンの内部に棒またはピンからなるバンド挟持部材をバンドの短手方向に、かつ遊カンの両側壁に形成された貫通穴または凹部に取付け、該バンド挟持部材と前記遊カンの内壁とによりバンドを挟み、遊カンを適度の摩擦力でバンドに保持するようにしたことを特徴とする。
このような構成により、遊カンがバンド上の置かれた位置に留まっているので、バンド先端の遊カン内への挿入が容易であり、更に時計を腕から外した時に遊カンが脱落することがない。更に、バンド挟持部材に弾性筒を取付ければ、バンドの先端部が遊カンより抜けにくくなると共に、バンドの表面に傷等を付けることもなくなる。また、時計ケースは保持棒によってバンドに保持されているので、ケースが浮上がることなく、腕を痛めたり、ケースに傷を付けたりすることがない。
【０００７】
請求項２による遊カンは内部のバンド短手方向に取付けたバンド挟持部材が、バネ棒であることを特徴とする。
請求項３による遊カンはバンド挟持部材が、円筒状の本体と２本の鋲とよりなり、遊カンの内部に本体を配設し、前記遊カンの両側壁の貫通穴より前記鋲を挿入し鋲を本体に圧入固定したことを特徴とする。
請求項４による遊カンはバンド挟持部材が、鍔付きピンよりなり、前記遊カンの両側壁の貫通穴の一方より前記鍔付きピンを挿通し、先端部を他方の貫通穴より突出させ、該先端部に鍔状の抜止部を設けたことを特徴とする。
【０００８】
請求項５による遊カンはバンド挟持部材が、バンドの厚さ方向に弾性を有する板バネであって、前記遊カンの両側壁に取付けられていることを特徴とする。請求項７による遊カンは、前記遊カンに、前記バンド挟持部材を回転可能に取り付けたことを特徴とする。
【０００９】
【発明の実施の形態】
図１は本発明による遊カンを備えた一本バンドの平面図、図２は一本バンドの基部を示す拡大側面図、図３は同平面図、図４は一本バンド及び腕時計を示す平面図、図５は同側面図、図６は本発明による遊カンを示す断面図、図７は使用状態を示す拡大側面図である。
図１乃至図３に示す一本バンド１は金属メッシュ製で、基部に金属板を円筒状に曲げ加工した保持筒２が延長平坦部３を一本バンド１の裏面に溶接することによって取付けられている。保持筒２の中央部には後述のつく棒４の為の切欠５が形成されている。一本バンド１には遊カン６が摺動可能に嵌合している。遊カン６は図６に示すように断面長方形の筒状をなしている。
【００１０】
一方、図４、図５に示す腕時計７のケース８は、一方の側壁に一対の長い連結足１０が突設され、他方の側壁には一対の短い取付足１１が形成されている。この取付足１１には保持棒１２が固定され、ケース７との間に間隙１３が形成されている。更に、連結足１０の側のケース上面には図７に示すように、つく棒４の先端が係合する凹部１４が形成されている。
このようなケース８への一本バンド１の取付けは、以下の方法で行われる。先ずバンド基部の保持筒２の切欠５内に図７に示すつく棒４の基部の環状部４ａを係合させる。次に図１に示すバネ棒１５を保持筒２の一端より筒内に挿入し、つく棒４の環状部４ａを貫通し、保持筒２の他端よりバネ棒１５の他端部を突出させる。続いて、バネ棒１５の両端ピン１５ａをバネに抗して押し込み、ケース８の連結足１０の孔にピン１５ａを係合させてケース８と一本バンド１が連結される。而して、ケース８の側壁と、一対の連結足１０と、保持筒２とつく棒４とにより、尾錠２０が形成されている。
【００１１】
本発明によれば、遊カン６を任意の位置に止めておくことができるようにするために、図６に示すようにバンド挟持部材１６が遊カン内に設けられている。本発明の第一の実施形態では、バンド挟持部材はバネ棒１７で構成されている。図７に示すように、遊カン６内には、一本バンド１が二重に重なって挿通されるものであるから、遊カンの空間はバンドの二倍以上の幅を有する。そして、バネ棒１７は、バンドの長手方向に対し、横方向に取付けられ、その外周が一本バンド１の基部付近においてバンド外壁に圧接し、遊カン６を適度の摩擦力で任意の位置に止めることができるように配設されている。バネ棒１７は遊カン６の両側壁に形成された貫通穴または凹部に取付けられている。
【００１２】
次に、本発明による時計を腕に装着する方法について説明する。先ず、腕時計７を腕の上に置き、つく棒４を図７に鎖線４ｂで示すように立て、一本バンド１の先端１ａをケース８と保持棒１２との間の間隙１３に通し、更に尾錠２０の枠内を通過させ、図７に示すようにバンド先端１ａを曲げ、通常の尾錠と同じようにつく棒４をつく孔２１（図１）の何れかに挿入する。最後に、バンド先端を遊カン６内のバネ棒１７上の空間に挿入して装着が完了する。
本発明によれば、バネ棒１７よりなるバンド挟持部材１６が一本バンド１の基部の適所に留まっているので、その位置が適切な場合には、バンドの先端１ａをそのまま遊カン６に挿入し、また離れていれば、遊カンをバンド上で摺動させて先端１ａに係合させればよい。
【００１３】
バネ棒１７には、図６に示すようにゴム、樹脂、又は合成樹脂製の筒１８を嵌めれば、遊カン６のバンドへの定着をより確実にすることができる。また、バンドの先端部が遊カンより抜けにくくなる。更に、遊カン６をバンド上の適宜箇所に移動させた場合、このゴム、樹脂等の筒１８によりバンドを傷付けることがなく、バンドの外観品質を悪くすることがない。
本発明によれば、遊カンがバンド上の置かれた位置に留まっているので、バンド先端の遊カン内への挿入が容易であり、更に時計を腕から外した時に遊カンが脱落することがない。更に、バンド挟持部材に弾性筒を取付ければ、バンドの先端部が遊カンより抜けにくくなる。
また、時計ケースは保持棒によってバンドに保持されているので、ケースが浮上がることなく、腕を痛めたり、ケースに傷を付けたりすることがない。
【００１４】
図８は本発明による遊カンの第二の実施形態を示す断面図、図９はバンド挟持部材を構成するバンド挟持棒を示す図である。
バンド挟持部材であるバンド挟持棒２２は円筒状の本体２３と、その両端に挿入される止め鋲２４よりなる。本体２３には内方への凸部２５が両端部に形成され、止め鋲２４には凸部２５に対応する位置において、凹部２６が形成されている。遊カン２７の両側壁には本体２３が挿入できる貫通穴２８が形成されている。
之を組立てるには、本体２３を貫通穴２８より遊カン２７内に挿入し、その両端より鋲２４を本体２３内に圧入し、凹部２６を本体の凸部２５に係合させれば、鋲２４の頭部が遊カンの外壁に圧接してバンド挟持棒２２が遊カン２７に強固に取付けられる。
【００１５】
図１０は、遊カンの第三の実施形態を示す断面図、図１１は鍔付ピンを示す図である。本形態においては、遊カン２７の両側壁に形成した貫通穴にバンド挟持部材としてステンレス製の鍔３１付のピン３０を挿入し、鍔のない一端３０ａをカシメルことにより抜止部３２を形成してピンが遊カンに固定される。
更にバンド挟持部材の他の例として、バンドの厚さ方向に弾性を有する板バネ（遊カンの両内壁に取付ける。）でもよい。
【００１６】
尚、上記の第二の実施形態と第三の実施形態に示す様に、遊カンにバンド挟持部材であるバンド挟持棒、ピンが強固に取付けられているが、節度を持って回転可能に取付けても良い。
また、本実施例ではメッシュ製（金属）の一本バンドで説明したが、通常の二体バンド（一方のバンドと他方のバンド）からなるバンドにも使用が可能である。また、皮バンド、樹脂バンド等に本発明の遊カンを使用することも可能で、この遊カンを使用することにより、常に所定の位置に遊カンが有り、従来の様に時計を携帯するごとに遊カンの位置を調整することがなくなり、腕への時計バンドの取付けか極めて容易となる。
【００１７】
【発明の効果】
本発明によれば、遊カンがバンド上の置かれた位置に留まっているので、バンド先端の遊カン内への挿入が容易であり、更に時計を腕から外した時に遊カンが脱落することがない。更に、バンド挟持部材に弾性筒を取付ければ、バンドの先端部が遊カンより抜けにくくなる。
また、時計ケースは保持棒によってバンドに保持されているので、ケースが浮上がることなく、腕を痛めたり、ケースに傷を付けたりすることがない。
【図面の簡単な説明】
【図１】本発明による遊カンを備えた一本バンドの平面図である。
【図２】一本バンドの基部を示す拡大側面図である。
【図３】一本バンドの基部を示す平面図である。
【図４】一本バンド及び腕時計を示す平面図である。
【図５】一本バンド及び腕時計を示す側面図である。
【図６】本発明による遊カンを示す断面図である。
【図７】使用状態を示す拡大側面図である。
【図８】本発明による遊カンの第二の実施形態を示す断面図である。
【図９】バンド挟持部材を構成するバンド挟持棒を示す図である。
【図１０】遊カンの第三の実施形態を示す断面図である。
【図１１】鍔付ピンを示す図である。
【図１２】従来の一本バンドによる腕時計を示す平面図である。
【図１３】一本バンドと腕時計の一部切断側面図である。
【符号の説明】
１  一本バンド
２  保持筒
３  延長平坦部
４  つく棒
４ａ  環状部
４ｂ  鎖線
５  切欠
６  遊カン
７  腕時計
８  ケース
１０  連結足
１１  取付足
１２  保持棒
１３  間隙
１４  凹部
１５  バネ棒
１５ａ  両端ピン
１６  バンド挟持部材
１７  バネ棒
１８  筒
２０  尾錠
２１  つく孔
２２  バンド挟持棒
２３  本体
２４  止め鋲
２５  凸部
２６  凹部
２７  遊カン
２８  貫通穴
３０  ピン
３０ａ  一端
３１  鍔
３２  抜止部
４１  一本バンド
４２  つく棒
４３  円筒部
４４  つく孔
４５  腕時計
４６  時計ケース
４７  連結足
４８  バンド取付け棒
５０  遊カン
【図１】
0003875386.tif 000002
【図２】
0003875386.tif 000003
【図３】
0003875386.tif 000004
【図４】
0003875386.tif 000005
【図５】
0003875386.tif 000006
【図６】
0003875386.tif 000007
【図７】
0003875386.tif 000008
【図８】
0003875386.tif 000009
【図９】
0003875386.tif 000010
【図１０】
0003875386.tif 000011
【図１１】
0003875386.tif 000012
【図１２】
0003875386.tif 000013
【図１３】
0003875386.tif 000014